(57)【要約】【課題】床パネルの縁部の剛性を高くできる補強床パネルを提供する。【解決手段】本発明の補強床パネル５０は、平板状に形成された床パネル４と、床パネル４の一方の面（一方のパネル面５１）の周縁部５２に、当該周縁部５２に沿って連続的に設けられた複数の補強材１２とを備え、当該補強材１２は、床パネル４の一方の面から離れる方向に延長する長さが、床パネル４の一方の面に沿った方向に延長する長さよりも長いことを特徴とする。また、平板状に形成された床パネルと、床パネルの一方の面の周縁部に、当該周縁部に沿って間欠的に設けられた複数の補強材とを備え、当該補強材は、床パネルの一方の面から離れる方向に延長する長さが、床パネルの一方の面に沿った方向に延長する長さよりも長いことを特徴とする。【選択図】図１
2012154172.tif 000002
【特許請求の範囲】
【請求項１】
平板状に形成された床パネルと、床パネルの一方の面の周縁部に、当該周縁部に沿って連続的に設けられた複数の補強材とを備え、当該補強材は、床パネルの一方の面から離れる方向に延長する長さが、床パネルの一方の面に沿った方向に延長する長さよりも長いことを特徴とする補強床パネル。
【請求項２】
平板状に形成された床パネルと、床パネルの一方の面の周縁部に、当該周縁部に沿って間欠的に設けられた複数の補強材とを備え、当該補強材は、床パネルの一方の面から離れる方向に延長する長さが、床パネルの一方の面に沿った方向に延長する長さよりも長いことを特徴とする補強床パネル。
【発明の詳細な説明】
【技術分野】
【０００１】
本発明は、二重床の床下地構造に使用する補強床パネルに関する。
【背景技術】
【０００２】
室内に配置される平板状の床パネルの下面の縁部を支持するために、床スラブに設置される複数の支持脚が、床パネルの下面の縁部に沿って所定距離を隔てて設けられることによって、床パネルの下面の縁部が複数の支持脚で支持された床下地構造が知られている（例えば、特許文献１；２等参照）。
【先行技術文献】
【特許文献】
【０００３】
【特許文献１】特開２０００−０２７４１６号公報
【特許文献２】特開２０００−１０４３９３号公報
【発明の概要】
【発明が解決しようとする課題】
【０００４】
上記床パネルによれば、床パネルの縁部の剛性が低いという課題があった。
本発明は上記課題に鑑みてなされたもので、床パネルの縁部の剛性を高くできる補強床パネルを提供する。
【課題を解決するための手段】
【０００５】
本発明の補強床パネルは、平板状に形成された床パネルと、床パネルの一方の面の周縁部に、当該周縁部に沿って連続的に設けられた複数の補強材とを備え、当該補強材は、床パネルの一方の面から離れる方向に延長する長さが、床パネルの一方の面に沿った方向に延長する長さよりも長いことを特徴とする。
本発明の補強床パネルは、平板状に形成された床パネルと、床パネルの一方の面の周縁部に、当該周縁部に沿って間欠的に設けられた複数の補強材とを備え、当該補強材は、床パネルの一方の面から離れる方向に延長する長さが、床パネルの一方の面に沿った方向に延長する長さよりも長いことを特徴とする。
【発明の効果】
【０００６】
本発明の補強床パネルによれば、床パネルの縁部の剛性を上げることができる。
【図面の簡単な説明】
【０００７】
【図１】補強床パネルの斜視図及び分解斜視図（最良の形態１）。
【図２】補強床パネル及び支持脚の配置を示す平面図（最良の形態２）。
【図３】床下地構造を備えた二重床の断面図（最良の形態２）。
【図４】補強床パネルを示す斜視図（最良の形態３）。
【図５】補強床パネル及び支持脚の配置を示す平面図（最良の形態３）。
【図６】床下地構造を備えた二重床の断面図（最良の形態３）。
【図７】補強床パネルを示す斜視図（最良の形態４）。
【図８】（ａ）は補強材の斜視図、（ｂ）は補強材を取付けた床下地構造を示す断面図、（ｃ）は（ｂ）のＡ−Ａ断面図（最良の形態７）。
【図９】補強床パネルを示す図（最良の形態８）。
【図１０】紙によるハニカム構造の補強材を示す斜視図（最良の形態９）。
【図１１】補強床パネルを示す斜視図（最良の形態１０）。
【図１２】補強床パネル及び支持脚の配置を示す平面図（最良の形態１０）。
【図１３】床下地構造を備えた二重床の断面図（最良の形態１０）。
【図１４】補強材と床パネルの縁部との取付例を示す図。
【発明を実施するための形態】
【０００８】
最良の形態１
図１（ａ）は補強床パネルを示し、図１（ｂ）は補強床パネルを床パネルと補強材とに分解して示す。
図１に示すように、補強床パネル５０は、四角形平板状に形成された床パネル４と、四角形平板の補強材１２とを備えて構成される。
補強材１２は、床パネル４のパネル面（床スラブ２と対向する面）となる２つの四角形面のうちの一方の面である一方のパネル面５１の縁部に縁部に沿って連続して設けられる。つまり、補強床パネル５０は、補強材１２が床パネル４の一方のパネル面５１の周縁部５２に取付けられた構成である。即ち、補強床パネル５０は、四角形平板状に形成された床パネル４と、床パネル４の一方のパネル面５１の周縁部５２に取付けられた補強材１２とを備えた構成である。
補強材１２は、床パネル４の一方のパネル面５１の周縁部５２に強固に一体化されるように取付けられる。例えば、補強材１２と床パネル４とが、釘、ビス、ステープル、接着剤のうちの１つあるいは２つ以上の併用によって、互いに強固に一体化するように取付けられる。補強材１２は、例えば、補強材１２の一方の面５３と床パネル４の端面５４とが面一となるように、補強材１２の端面５９が床パネル４の一方のパネル面５１の周縁部５２に取付けられる。
【０００９】
床パネル４は、例えば、長方形平板に形成される。床パネル４の具体的な一例としては、一方のパネル面５１と他方のパネル面５６との間の距離である厚さｔが２０ｍｍ、パネル面５１；５６を形成する長方形面の長辺の長さａが１８２０ｍｍ、パネル面５１；５６を形成する長方形面の短辺の長さｂが６００ｍｍである。
補強材１２は、例えば、長方形平板に形成される。具体的には、補強材１２の一方の面５３及び他方の面５７を形成する長方形面の長辺の長さａ１が、床パネル４のパネル面５１；５６を形成する長方形面の長辺の長さａ、あるいは、床パネル４のパネル面５１；５６を形成する長方形面の短辺の長さｂに対応した寸法に形成され、かつ、補強材１２の長方形面の短辺の長さｃ１が、５０ｍｍ〜１００ｍｍ程度、厚さｔ１が２０ｍｍに形成される。
そして、床パネル４の一方の面５１の周縁部５２を構成する長辺部及び短辺部に、これらに対応した補強材１２の端面５９がそれぞれ取付けられることによって、床パネル４と床パネル４の一方の面５１の周縁部５２に取付けられた補強材１２とを備えた補強床パネル５０が形成される。即ち、床パネル４の一方の面５１の周縁部５２に、周縁部５２に沿って複数の補強材１２が連続的に設けられた構成の補強床パネル５０とした。
【００１０】
最良の形態１による補強床パネル５０によれば、床パネル４の周縁部５８が補強材１２によって補強されたので、床パネル４の周縁部５８の剛性の高い補強床パネル５０を提供できる。
【００１１】
最良の形態２
図２、３を参照し、最良の形態１の補強床パネル５０を用いた床下地構造を説明する。
床下地構造１は、床スラブ２に設置された複数の支持脚３と、支持脚３により支持された複数の補強床パネル５０とにより形成される。
複数の補強床パネル５０における床パネル４の他方の面５６が部屋や廊下のような室内５の床レベル面上に並ぶように敷設され、隣り合う補強床パネル５０の床パネル４同士は端面６同士が隙間ｅを介して離されて配置される。隙間ｅは、１５ｍｍ〜２０ｍｍ程度である。図示しないが、互いに隣り合う補強床パネル５０の床パネル４の端面６同士が互いに接触し合うように複数の補強床パネルが配置される場合もある。
【００１２】
床スラブ２に設置される支持脚３は、台座３３が、互いに隣り合う各々の補強床パネル５０における床パネル４の一方の面５１により形成される床パネル４の下面７を支持するように配置される。支持脚３の台座３３と床パネル４とが釘などの固定具によって互いに連結される。複数の支持脚３の設置間隔は、例えば、３００ｍｍ〜６００ｍｍ程度に決められる。このように、補強床パネル５０における床パネル４の下面７が複数の支持脚３で支持された構成において、補強材１２の下端１６と床スラブ２との間には間隔ｆが形成される。また、室内５の壁際に配置される壁際の床パネル４の壁側端面６Ａと壁面１０とが隙間ｇを隔てた非接触状態に維持されるように、壁際の床パネル４の下面７が複数の支持脚３で支持される。隙間ｇは５ｍｍ〜１０ｍｍ程度とする。
【００１３】
即ち、補強材１２と床スラブ２とが間隔ｆを隔てて非接触状態となり、かつ、壁際の床パネル４の壁側端面６Ａと壁面１０とが隙間ｇを隔てて非接触状態となるように、各床パネル４の下面７が支持脚３により支持され、補強材１２の下端１６が支持脚３により支持されていない構成の床下地構造とした。
つまり、補強床パネル５０の床パネル４に荷重が加わった場合でも、補強材１２の下端１６と床スラブ２とが互いに接触しないように、床パネル４を支持する支持脚３の配置位置や、補強材１２の上下方向に延長する長さｃが設定される。
よって、補強材１２の下端１６が支持脚３により支持されておらず、補強材１２と床スラブ２とが間隔ｆを隔てて非接触状態であるため、床パネル４から補強材１２に伝わる音が床スラブ２に伝わらない。
また、壁際の床パネル４の壁側端面６Ａと壁面１０とを隙間ｇを隔てて非接触状態としたことで、壁側の床パネル４に荷重が加わって壁側の床パネル４の壁面近傍部分が上下に動いたとしても壁側端面６Ａと壁面１０とが擦れあうことが防止されるため、擦れ音の発生を防止できる。
【００１４】
床下地構造１を構成する各床パネル４の周縁部５８の剛性は、補強材１２の上下方向（床パネル４の下面７より床スラブ２に向かう方向）に延長する長さｃの２乗に比例して大きくなるので、補強材１２の長さｃを長くすることで、床パネル４の周縁部５８の剛性を高くできる。
よって、補強材１２の上下方向に延長する長さｃを調整することによって、床パネル４の周縁部５８に所望の剛性を与えることができるようになり、また、床パネル４の下面７の周縁部５２に近い位置に設置する支持脚３の配置位置を調整することによって、床パネル４の周縁部５８にかかる荷重に対する沈み込み量を調整することが可能となる。
例えば、床スラブ２と床パネル４の下面７との間隔（ｃ＋ｆ）が１５０ｍｍ〜２００ｍｍ程度の場合には、周縁部５２に近い位置に設置する支持脚３を、床パネル４の端面から２００ｍｍ程度離れた位置に設置し、かつ、補強材１２の上下方向に延長する長さｃを５０ｍｍから１００ｍｍ程度にする。
【００１５】
補強材１２としては、パーティクルボード、木材、石膏ボード、金属、中密度繊維板（MDF (medium density fiberboard)）、木質系建材、断熱性建材、樹脂、紙などにより形成されたものを用いればよい。
【００１６】
支持脚３は、床スラブ２に設置される防振ゴム３１と、下部が防振ゴム３１に取付けられて防振ゴム３１に支持される例えば金属製の支柱３２と、支柱の上端部に設けられた台座３３とを備える。支柱３２の上部の外周面は図外の雄ねじ部に形成される。台座３３は、例えばパーティクルボードや合板などで形成される。台座３３は、台座３３の上下面に貫通する図外の貫通孔を備え、この貫通孔内には上下に貫通する図外の金属製の筒３４が設けられ、この筒３４の内周面は図外の雌ねじ部に形成される。つまり、支持脚３は、雄ねじ部の雄ねじと雌ねじ部の雌ねじとのねじ嵌合により台座３３が支柱３２に対して上下に移動可能に構成され、台座３３の高さを調整可能である。室内５の壁際に配置される支持脚３の防振ゴム３１の硬度は、室内５の中央側に配置される支持脚３の防振ゴム３１の硬度よりも硬い。
【００１７】
以上のように構成された床下地構造１における床パネル４の上面４ｔに、図３に示すように、下地材２１が設けられ、その下地材２１の上に仕上げ材２２が設けられることによって、床スラブ２と、支持脚３と、床パネル４と、下地材２１と、仕上げ材２２とを備えた二重床２０が構成される。尚、下地材２１と壁面１０との間、及び、仕上げ材２２と壁面１０との間にも隙間ｇを設ける。これら隙間ｇは２ｍｍ〜５ｍｍ程度とする。
【００１８】
床パネル４、下地材２１、仕上げ材２２の材質や形状などは特に限定されないが、床パネル４は、例えばパーティクルボードにより形成され、下地材２１は、例えば合板により形成され、仕上げ材２２は、例えば、フローリングやカーペットにより形成される。
【００１９】
最良の形態２による床下地構造１によれば、床下地構造１を形成する各々の床パネル４の周縁部５８が補強材１２によって補強されたことによって、各床パネル４の周縁部５８の剛性の高い床下地構造１を提供できる。
最良の形態２の床下地構造１によれば、床パネル４の下面７の周縁部５２に強固に一体化されるように取付けられた補強材１２と床スラブ２とが間隔ｆを隔てて非接触状態となるように、床パネル４の下面７が支持脚３により支持され、補強材１２の下端１６が支持脚３により支持されていない構成としたので、音が床パネル４から補強材１２を経由して床スラブ２に伝播するのを防止でき、階下への音の伝播を少なくできる。また、壁際の床パネル４の壁側端面６Ａと壁面１０とが隙間ｇを隔てて非接触状態となるように、壁側の床パネル４の下面７が支持脚３により支持され、補強材１２の下端１６が支持脚３により支持されていない構成としたので、壁際の床パネル４から壁面１０への音の伝播を少なくできて階下への音の伝播を少なくできる。
【００２０】
最良の形態３
図４に示すように、長方形平板に形成された補強材１２の端面５９ではない一方の面６１又は他方の面６２を形成する長方形面が、床パネル４の一方の面である一方のパネル面５１の周縁部５２に取付けられて、例えば、補強材１２の端面５９と床パネル４の端面５４とが面一となるように形成された補強床パネル５０としてもよい。そして、この補強床パネル５０を用いて床下地構造１を形成してもよい。
最良の形態３の補強床パネル５０のように、補強材１２の下端１６の面である下面１６ａの面積を大きくした補強床パネル５０を用いて床下地構造１を構成する場合は、図５；６に示すように、補強床パネル５０の補強材１２の下面１６ａを支持脚３で支持する構成としてもよいし、あるいは、補強床パネル５０の補強材１２の下面１６ａを支持脚３で支持せずに図２；３で示した構成と同じように補強床パネル５０の床パネル４の下面７を支持脚３で支持する構成としてもよい。
【００２１】
最良の形態４
図７に示すように、四角形平板に形成された床パネル４と、床パネル４の一方のパネル面５１の周縁部５２に取付けられた複数の補強材１２とを備え、複数の補強材１２が、床パネルの一方のパネル面５１の周縁部５２に、パネル面５１の縁部に沿って間隔を隔てて設けられた補強床パネル５０を用いてもよい。即ち、床パネル４の一方のパネル面５１の周縁部５２に取付けられた複数の補強材１２が、床パネル４の一方のパネル面５１の縁部に沿って間欠的に設けられた構成の補強床パネル５０を用いる。
最良の形態４によれば、細切れの補強材１２を用いることができるようになって補強材１２の材料コストを低減できる。また、床パネル４の一方のパネル面５１の周縁部５２の一部の箇所に補強材１２を集中して設けたり設けなかったりすることができるようになり、床パネル４の周縁部５８の特定の部分の剛性を大きくしたり小さくしたりできる。つまり、設計や施工の自由度が増す。
【００２２】
最良の形態５
最良の形態４の補強床パネル５０を用いて床下地構造１を構築する場合において、床パネル４の下面７の周縁部５２において補強材１２と補強材１２との間に位置する床パネル４の下面７を支持脚３で支持するように支持脚３を配置するとともに、床パネル４の下面７の周縁部５２以外を支持するように支持脚３を配置した構成とすれば、最良の形態１と同様な効果が得られる他、床パネル４の下面７の周縁部５２を支持する支持脚３と床パネル４の周縁部５２以外を支持する支持脚３とで支柱３２の長さの同じものを使用することができるので、支持具のコストをより低減できる。
また、最良の形態５の床下地構造１によれば、床パネル４の周縁部５８において、支持脚３で支持されている部分の剛性と支持脚３で支持されていない部分の剛性との差が小さくなるので、床パネル４の周縁部５８における各位置間の剛性のばらつきを少なくできる。つまり、最良の形態２では、床パネル４の支持脚３で支持されている部分の剛性は、床パネル４と補強材１２と支持脚３とを足した剛性であり、床パネル４の支持脚３で支持されていない部分の剛性は、床パネル４と補強材１２とを足した剛性であり、その差は支持脚３の剛性である。一方、最良の形態５では、支持脚３で支持されている部分の剛性は、壁側の床パネル４と支持脚３とを足した剛性であり、支持脚３で支持されていない部分の剛性は、壁側の床パネル４と補強材１２とを足した剛性であり、その差は（支持脚３の剛性−補強材１２の剛性）であるので、剛性の差が小さくなる。
最良の形態５の床下地構造１のように、複数の補強材１２が床パネル４のパネル面５１の周縁部５２に間欠的に設けられている場合においては、床パネル４の下面７の周縁部５２において補強材１２と補強材１２との間に位置する床パネル４の下面７を支持脚３で支持する構成とすれば、支持脚３と補強材１２とによって、床パネル４の周縁部５８の剛性を高くできるので、好ましい。
【００２３】
最良の形態６
補強材１２の下端１６の面である下面１６ａの面積を大きくして補強材１２の上下方向に延長する長さｃ１を短くした場合には、補強効果が小さいので、補強材１２の下端１６の面である下面１６ａの面積を大きくするとともに、補強材１２の上下方向に延長する長さｃ１を長くする。即ち、補強材１２が、床パネル４の下面７より床スラブ２に向かって延長するとともに、床パネル４の下面７に沿って床パネル４の端面５４側から床パネル４の下面７の中央側に向けて延長するように設けられた構成とする。つまり、補強材１２が、床パネル４の一方のパネル面５１よりも離れる方向に向かって延長するとともに、床パネル４の一方のパネル面５１に沿って床パネル４の端面５４側から床パネル４の一方のパネル面５１の中央側に向けて延長するように設けられた構成の補強床パネル５０を用いて床下地構造１を構築する。
最良の形態６によれば、床パネル４の周縁部５８をより広い範囲でより効果的に補強可能となる。
【００２４】
最良の形態７
最良の形態６の場合のように、補強材１２が、床パネル４の下面７より床スラブ２に向かって延長するとともに、床パネル４の下面７に沿って床パネル４の端面５４側から床パネル４の下面７の中央側に向けて延長するように設けられた構成とする場合において、補強材１２として断面矩形状の柱状のようなものを用いた場合、補強材１２のコストが高くなるので、図８に示すように、Ｈ型形状に形成された補強材１２を複数用意して、複数の補強材１２を、床パネル４の一方のパネル面５１の周縁部５２に、パネル面５１の縁部に沿って連続的又は間欠的に設けた補強床パネル５０や床下地構造１とする。
最良の形態７によれば、補強材１２がＨ型形状に形成されたことにより、最良の形態６と同様な補強効果を最良の形態６と比べて経済的に実現できる。
【００２５】
最良の形態８
図９に示すように、床パネル４の端部４１を床パネル４の一方のパネル面５１に対して垂直に折曲させやすくするための溝３６を床パネル４の一方のパネル面５１に形成しておいて、施工時において、溝３６の相対向する傾斜面３７：３７同士が互いに接着剤で接着されるように溝を基準として端部４１を折り曲げることにより、端部４１が床パネル４の一方のパネル面５１の周縁部５２に取付けられた補強材１２として機能するように構成された補強床パネル５０や床下地構造１とする。この補強材１２は、床パネル４の一方のパネル面５１の周縁部５２に、パネル面５１の縁部に沿って連続的又は間欠的に設ければよい。
最良の形態８によれば、補強材１２の搬入作業及び取付作業を容易にでき、施工を簡単にできる。
【００２６】
最良の形態９
図１０に示すように、補強材１２として、紙を加工してハニカム形状に形成された補強材１２を用いても良い。このハニカム形状に形成された補強材１２の孔４２の一方の開口縁部４３と床パネル４の一方のパネル面５１の周縁部５２とが接着剤などで接着された構成の補強床パネル５０や床下地構造１とする。この補強材１２は、床パネル４の一方のパネル面５１の周縁部５２に、パネル面５１の縁部に沿って連続的又は間欠的に設ければよい。
最良の形態９によれば、安価な紙を用いて補強効果を得ることができるので、経済的となる。
【００２７】
最良の形態１０
例えば室内５の四角形の床を構成する場合において、室内５の壁面１０の角部１０Ａ（図１２参照）に配置する補強床パネル５０として図１１（ｂ）に示すものを用い、室内５の壁面１０の角部１０Ａ以外に配置する補強床パネル５０として図１１（ａ）に示すものを用いることによって、図１２；１３に示す床下地構造１を構築した。即ち、図１１（ａ）に示す補強床パネル５０は、床パネル４の一方の面５１の周縁部５２を構成する両方の長辺部に対応して設けられた補強材１２の一方の面５３の位置が床パネル４の端面５４の位置よりもパネル面５１の内側に位置された補強床パネル５０Ａとした。図１１（ｂ）に示す補強床パネル５０は、床パネル４の一方のパネル面５１の周縁部５２を構成する一方の長辺部に対応して設けられた補強材１２の一方の面５３の位置が床パネル４の端面５４の位置よりもパネル面５１の内側に位置された補強床パネル５０Ｂとした。
このような補強床パネル５０Ａ；５０Ｂを用いることで、図１２；１３に示すように、互いに隣合う補強床パネル５０；５０の床パネル４のパネル面５１の長辺部に対応する端部の下面７；７間に跨るように支持脚３の台座３３を位置させることができるので、互いに隣合う補強床パネル５０；５０の床パネル４の長辺部に対応する端部の剛性を大きくできる。
【００２８】
尚、本発明で言う床パネル４の縁部とは、床パネル４の一方のパネル面５１の周縁部５２や縁部の他、床パネル４の端面５４も含む。従って、本発明で言う補強材１２が床パネル４の縁部に取付けられたとは、最良の形態１；３のように、床パネル４の端面５４と補強材１２の一方の面５３や端面５９とが面一となるように床パネル４の一方のパネル面５１と補強材１２とが互いに接触した状態に取り付けられた形態の他、図１４（ａ）に示すように、補強材１２の一方の面５３の一端部６０や他方の面の一端部と床パネル４の端面５４とが互いに接触した状態に取り付けられた形態も含む。補強材１２が床パネル４の縁部に取付けられたとは、床パネル４の端面５４と補強材１２の一方の面５３や端面５９とが面一となるように互いに取付けられた形態だけではなく、図１４（ｂ）；（ｃ）に示すように、補強材１２の一方の面５３や端面５９と床パネル４の端面５４とが互いに段差面５３Ａ；５４Ａを形成するように床パネル４の一方のパネル面５１と補強材１２とが互いに接触した状態に取付けられた形態も含む。この段差面５３Ａ；５４Ａ間の段差長Ｓは、例えば、１０ｍｍ以下を目安とするが、最良の形態１０のように、床パネル４の下面７を支持脚３の台座３３で支持する床下地構造１に用いる補強床パネル５０の場合は、支持脚３の台座３３の大きさに対応して段差面５３Ａ；５４Ａ間の段差長Ｓを設定する。
【００２９】
各最良の形態において、壁際の床パネル４の端面５４と壁面１０とが互いに接触した構成の床下地構造１としてもよい。つまり、壁際の床パネル４の端面５４と壁面１０との間、下地材２１と壁面１０との間、及び、仕上げ材２２と壁面１０との間に、隙間ｇを設けず、両者を互いに接触させた構成の二重床としてもよい。
【００３０】
補強床パネル５０の支持形態は、補強材１２の態様によって選択すればよい。例えば、補強材１２が床パネル４の一方のパネル面５１の周縁部５２に連続して設けられている場合においては、補強材１２の下面１６ａの面積が小さければ、支持脚３で補強材１２の下面１６ａを支持せずに床パネル４の下面７を支持する構成とし、補強材１２の下面１６ａの面積が大きければ、支持脚３で補強材１２の下面１６ａを支持する構成とすればよい。
【産業上の利用可能性】
【００３１】
床パネル４の上に下地材２１を設けずに床パネル４の上に仕上げ材２２を直接設けることによって二重床を構成してもよい。
【符号の説明】
【００３２】
４  床パネル、１２  補強材、５０  補強床パネル、
５１  一方のパネル面（一方の面）、５２  周縁部。
【図１】
2012154172.tif 000003
【図２】
2012154172.tif 000004
【図３】
2012154172.tif 000005
【図４】
2012154172.tif 000006
【図５】
2012154172.tif 000007
【図６】
2012154172.tif 000008
【図７】
2012154172.tif 000009
【図８】
2012154172.tif 000010
【図９】
2012154172.tif 000011
【図１０】
2012154172.tif 000012
【図１１】
2012154172.tif 000013
【図１２】
2012154172.tif 000014
【図１３】
2012154172.tif 000015
【図１４】
2012154172.tif 000016